(57)【要約】      （修正有） 【課題】ブレードが自由に運動できるようにし、そのブレードに近寄ってくる魚を効果的にヒットさせることのできるルアーを提供する。【解決手段】ルアー本体とルアー本体２に連結されたブレード１１とを有するルアー１であって、ルアー本体に対してブレードと釣針が揺動可能に接続され、ブレードに直接針が取り付けられておらず、釣針はブレードを横断して延在していることを特徴とするルアー。また、ルアー本体とルアー本体に連結されたブレードとを有するルアーであって、ルアーとブレードが回転ジョイント６で相互に回転可能に連結され、さらに釣針がブレードに直接連結されずルアーに対して相互に回転可能に回転ジョイントに連結され、ブレードと釣針とが相互に自由に揺動可能としたことを特徴とするルアー。【選択図】図１
0003105003.tif 000002
【実用新案登録請求の範囲】
【請求項１】
ルアー本体と前記ルアー本体に連結されたブレードとを有するルアーであって、
前記ルアー本体に対して前記ブレードと釣針が揺動可能に接続され、当該ブレードに直接針が取り付けられておらず、前記釣針は前記ブレードを横断して延在している、ことを特徴とするルアー。
【請求項２】
ルアー本体と前記ルアー本体に連結されたブレードとを有するルアーであって、
前記ルアーと前記ブレードが回転ジョイントで相互に回転可能に連結され、さらに釣針が前記ブレードに直接連結されず前記ルアーに対して相互に回転可能に前記回転ジョイントに連結され、前記ブレードと前記釣針とが相互に自由に揺動可能とした、ことを特徴とするルアー。
【請求項３】
前記回転ジョイントは連結軸と当該連結軸に対して枢軸回転可能な筐体とを有し、
前記連結軸にはルアー本体との連結のための孔が設けられ、当該孔を介して前記ルアー本体と連結され、
前記筐体には前記ブレード及び前記釣針との連結のための孔が設けられ、当該孔を介して前記ブレード及び前記筐体に対して揺動可能に連結されている、ことを特徴とする請求項２に記載のルアー。
【請求項４】
前記釣針は前記ブレードを横断して延在している請求項２又は３に記載のルアー。
【考案の詳細な説明】
【技術分野】
【０００１】
この考案は、釣りを行うために使用されるルアーに関するものである。
【背景技術】
【０００２】
従来から、釣りの擬似餌として様々な種類のルアーが使用されている。
【０００３】
木製、プラスチック製、金属製とその種類も様々であり、その構造も様々である。
【０００４】
その中でも、重金属（鉛、錫、タングステン、ビスマス、真鍮等）の本体を持ち、その後方にブレードと呼ばれる金属板を取り付けたルアーが知られている。これは俗に「テールスピンジグ」「スピンテールジグ」「ジグスピナー」などと総称されるルアーのジャンルである。
【０００５】
このようなルアーは、本体の自重により深い場所へも容易に送り込むことができ、更に本体後方のブレードが回転することによりその動き・振動・反射光が魚の興味を惹きつけるものである。
【考案の開示】
【考案が解決しようとする課題】
【０００６】
しかし、魚は餌を模したルアー本体のみならず、特異な動きや光を反射するブレード側に興味を示し、ブレード側のみを突つこうとする個体も少なからず存在することが解った。この場合、ルアー本体に取り付けられた釣針では、十分効率的に魚をヒットすることができないことも解った。
【０００７】
一方、ブレードの先に直接釣針を取り付けてその動作を試みたが、釣針の重さが邪魔となって予期したようなブレード独自のひらひらと動く動作や十分な回転を行うことができないことも明らかとなった。
【０００８】
そこで考案者は、かかる問題を解決すべく以下の考案に至ったものである。
【課題を解決するための手段】
【０００９】
請求項１に係る考案によると、ルアー本体と前記ルアー本体に連結されたブレードとを有するルアーであって、前記ルアー本体に対して前記ブレードと釣針が揺動可能に接続され、前記ブレードに直接針が取り付けられておらず、前記釣針は前記ブレードを横断して延在していることを特徴とするルアーを提供するものである。
【００１０】
ブレードに釣針が取り付けられているのではなく、ブレードと釣針とが自由に揺動可能にルアー本体に連結されていることで、ルアーを水中で引いたときにブレードが水の抵抗に応じて自由に動くことができることから、魚の注意を引くことなり、釣針がブレードを横断的に延びることで、ブレードに近づいて突つく魚をその長く延びた釣針でかけることも可能となる。
【００１１】
さらに、請求項２の本考案の別な形態によると、ルアー本体と前記ルアー本体に連結されたブレードとを有するルアーであって、前記ルアーと前記ブレードが回転ジョイントで相互に回転可能に連結され、さらに釣針が前記ブレードに直接連結されず前記ルアーに対して相互に回転可能に前記回転ジョイントに連結され、前記ブレードと前記釣針とが相互に自由に揺動可能としたことを特徴とするルアーを提供する。
【００１２】
請求項１と同様にブレードに釣針が取り付けられているのではなく、回転ジョイントで連結されており、その回転ジョイントにブレードと釣針とが揺動可能とし、釣針の重さをブレードが直接受けることがないようにしたことで、水の抵抗によってブレードが自由に運動できる。ブレードに直接釣針が取り付けられていると、自ずとその動きが制約されるために、回転するために必要な初期動作を十分行うことができない。しかし、ブレードが自由に動くことが可能となったことにより、回転せずに止まっている釣針等の慣性力に対抗した力をブレードが発揮できるようになる。例えば、回転ジョイントの回転軸心から斜めに変位したブレードは、より大きな回転モーメントを発生させて、回転ジョイントと釣針とを回転させることができるようになる。このように、釣針やブレード自身を回転させるために必要な動作をブレードが行うことができるようになったことで、結果として予定したブレードの回転が可能となり、魚を効果的に誘うことができるようになったのである。
【００１３】
請求項３には、その回転ジョイントのより具体的な形態を示したものであり、前記回転ジョイントは連結軸と当該連結軸に対して枢軸回転可能な筐体とを有し、前記連結軸にはルアー本体との連結のための孔が設けられ、当該孔を介して前記ルアー本体と連結され、前記筐体には前記ブレード及び前記釣針との連結のための孔が設けられ、当該孔を介して前記ブレード及び前記筐体に対して揺動可能に連結されていることを特徴とするものである。
【００１４】
このように孔によって相互に連結されたものが自由に動くことができるようにしたことで、当初の目的である自由なブレードと釣針との連結を可能としている。
【００１５】
また、請求項４では、釣針は前記ブレードを横断して延在していることにより、ブレードの末端に近づいてルアー本体でなくブレードを突つくような魚に対してもヒットさせることが可能となるのである。
【００１６】
このように、ブレード自体に釣針が付けられるのではなく、ブレードと釣針とが相互に自由に揺動できるようにルアー本体に連結させることで、ブレードに釣針が取り付けられた構成と比較して、ブレード自体の自由度が高くなるために、ひらひらとした運動や回転しようとする動作がしやすくなり、ブレードの機能を損なうことがない。しかもブレードの傍に釣針が位置するために、ブレードに興味をもって突つく魚も釣り上げることが容易となったのである。
【考案を実施するための最良の形態】
【００１７】
以下、図面を参照して本考案の実施の形態を説明する。図１はこの考案に係る釣り用ルアーの一例を示したものである。
【００１８】
本考案によるルアー１は、餌となる魚等の形を模したルアー本体２と、そのルアー本体２の後部に取り付けられたジョイント６と、そのジョイント６に取り付けられたブレード１１と、ジョイント６と細長い連結ワイヤー１７によって連結された釣針２０からなっている。
【００１９】
ルアー本体２は、ほぼ前方頭部に道糸を通してかけることのできるラインアイレット３と、その反対側の腹部に釣針をかけることのできるフックアイレット４と、後部でジョイント６をかけることのできるジョイントアイレット５とが設けられている。フックアイレット４と釣針１６の基部の設けられたアイレットとはその中を通った連結用リング１５によって連結されている。
【００２０】
ジョイント６は、筐体７とその筐体７に軸方向を中心として回転可能に連結された連結軸８を有し、筐体７は先端が突出してその中に貫通する孔を有し、同様に連結軸８も貫通孔を有している。
【００２１】
連結部９とジョイントアイレット５の各孔に金属製の連結リング１３がかかり、その連結リング１３によって連結部９とジョイントアイレット５は相互に自由に動くことの出来る程度に連結されている。
【００２２】
ブレード１１の一端には貫通孔１２を有し、筐体７の貫通孔とブレード１１の孔１２に金属製の連結リング１４がかかり、その連結リング１４によって筐体７とブレード１１とがその連結リング１４を中心として相互に自由に動くことの出来る程度に連結されている。
【００２３】
ブレード１１は、一方が長く延びた偏った楕円形を有し緩やかな面が形成され、その表面は光を反射させるための光沢が出るように施されてている。ブレード１１は、ほぼ厚さが等しい金属片を打ち抜いて成形し、その表面を例えばメッキ処理して作ることができるが、これに限定されるものではなく、また、そのブレードの形状や面の処理もその用途に応じて適宜変更可能である。
【００２４】
釣針２０をジョイント６と連結するために弾力性のある金属ワイヤ１７がここでは使用されている。連結用ワイヤ１７の一端は連結リング１４の中を通されてそこで輪を形成するように折り返されて金属の小板１８によってカシメられている。ワイヤの他端も釣針に設けられたアイレットに通されてそこで輪を形成するように折り返されて金属の小板１９によってカシメられている。ブレード１１の先端から釣針２０が出るように金属ワイヤーは連結リング１４からブレード１１の先端先まで横断して延びている。
【００２５】
矢印Ｂで示しように、ブレード１１と釣針２０は、共に連結リング１４の回転に応じて連結軸８に対して回転することができる。また、ブレード１１と釣針２０は相互に独立に連結リング１４を中心として回転することが可能である。
【００２６】
本考案によるルアー１の動作を説明すると、ラインアイレット３に結ばれた道糸Ｐによってルアー本体２を引くと、ジョイント６によって連結されたブレード１１及び釣針２０もともに引っ張られる。このとき、ブレード１１の面は、その面の形状や水の流れ、そして引く速度等に応じて多様な力を水から受け、ジョイント６の連結部９を軸にして揺れ動作などの運動をする。また、ブレード１１の面に回転する力が加わると、その回転力は連結リング１４に伝わり、その結果図の矢印で示したように連結軸８を中心として筐体７を回転させ、その回転に応じて釣針２０も回転する。
【００２７】
ブレード１１の末端（後端）は自由であることから、水の流れに応じて自由に動くこととなり、釣針２０によって動きが制限されることが無く、釣針２０から遠ざかったり近づいたりすることができる。そして、図２に示すように、ジョイント６の中心軸（破線で示す）から離れて傾いた位置にブレード１１が変位した状態でブレード１１に回転力（矢印Ａで示す）が加わると、その回転モーメントが大きくなるために、連結リング１４から後方に長く延びた釣針２０の重さにも係わらずに、連結軸８に対して筐体７が回転する。
【００２８】
このように、ブレードの後端に釣針を取り付けるのではなく、釣針に無関係にブレードをジョイントに対して揺動可能に取り付けることにより、水中でブレードが自由に変位できる。その結果、ブレードは多様な動きが可能となり、魚を誘うことが可能となる。また、回転可能なジョイントを使用し、その回転ジョイントとの連結部分を中心にして自由に動くことができるようにすることで、ブレードがその回転ジョイントの軸中心として回転させやすくなるのである。
【図面の簡単な説明】
【００２９】
【図１】本考案の例によるルアーの全体概要図である。
【図２】図１のルアーにおいて、ブレードが変位した状態でブレードに回転モーメントが発生した状態の全体概要図である。
【符号の説明】
【００３０】
１  ルアー
２  ルアー本体
６  回転ジョイント
７  筐体
８  連結軸
１１  ブレード
１３，１４  連結リング
【図１】
0003105003.tif 000003
【図２】
0003105003.tif 000004
【手続補正書】
【提出日】平成16年6月17日(2004.6.17)
【手続補正１】
【補正対象書類名】実用新案登録請求の範囲
【補正対象項目名】請求項１
【補正方法】変更
【補正の内容】
【請求項１】
ルアー本体と、前記ルアー本体に揺動可能に連結された釣針と、前記ルアー本体に揺動可能に連結されたブレードとを有し、前記ブレードに釣針が連結されていないことを特徴とするルアー
【手続補正２】
【補正対象書類名】実用新案登録請求の範囲
【補正対象項目名】請求項２
【補正方法】変更
【補正の内容】
【請求項２】
ルアー本体と前記ルアー本体に連結されたブレードとを有するルアーであって、
前記ルアーと前記ブレードが回転ジョイントで相互に回転可能に連結され、さらに釣針が前記ブレードに直接連結されず前記ルアーに対して相互に回転可能に前記回転ジョイントに連結され、前記ブレードと前記釣針とが相互に自由に揺動可能とした、ことを特徴とするルアー。
【手続補正３】
【補正対象書類名】実用新案登録請求の範囲
【補正対象項目名】請求項３
【補正方法】変更
【補正の内容】
【請求項３】
前記回転ジョイントは連結軸と当該連結軸に対して枢軸回転可能な筐体とを有し、
前記連結軸にはルアー本体との連結のための孔が設けられ、当該孔を介して前記ルアー本体と連結され、
前記筐体には前記ブレード及び前記釣針との連結のための孔が設けられ、当該孔を介して前記ブレード及び前記筐体に対して揺動可能に連結されている、ことを特徴とする請求項２に記載のルアー。
【手続補正４】
【補正対象書類名】実用新案登録請求の範囲
【補正対象項目名】請求項４
【補正方法】変更
【補正の内容】
【請求項４】
前記釣針は前記ブレードを横断して延在している請求項１乃至３のいずれかに記載のルアー。
【手続補正５】
【補正対象書類名】明細書
【補正対象項目名】０００９
【補正方法】変更
【補正の内容】
【０００９】
請求項１に係る考案によると、ルアー本体と、前記ルアー本体に揺動可能に連結された釣針と、前記ルアー本体に揺動可能に連結されたブレードとを有し、前記ブレードに釣針が連結されていないことを特徴とするルアーを提供するものである。